(57)【特許請求の範囲】
【請求項１】
情報データを担う記録信号に応じた記録ビーム光を記録ディスクに照射することにより前記記録ディスクに対して情報記録を行なう情報記録再生装置であって、
記録ディスクの各種のディスクタイプを示す共有ディスクタイプと前記記録信号を生成する際の第１記録規格の波形パラメータとが対応付けされている第１記録規格情報と、記録ディスクの各製造者を示す製造者コード及びピット形成の反応性を示すタイプコードと前記記録信号を生成する際の第２記録規格の波形パラメータとが対応付けされている第２記録規格情報と、が記憶されている記憶手段と、
前記記録ディスクに記録されている共有ディスクタイプ及びリードインスタートタイムを夫々読み取る手段と、
前記記録ディスクから読み取られた共有ディスクタイプ及びリードインスタートタイムに基づいて、前記第１記録規格情報及び前記第２記録規格情報から前記波形パラメータの１つを選択し、この波形パラメータに基づいて前記記録信号の生成を行う記録信号生成手段と、を有することを特徴とする情報記録再生装置号に応じた記録ビーム光を記録ディスクに照射することにより前記記録ディスクに対して情報記録を行なう情報記録再生装置であって、
記録ディスクの各種のディスクタイプを示す共有ディスクタイプと前記記録信号を生成する際の第１記録規格の波形パラメータとが対応付けされている第１記録規格情報と、記録ディスクの各製造者を示す製造者コード及びピット形成の反応性を示すタイプコードと前記記録信号を生成する際の第２記録規格の波形パラメータとが対応付けされている第２記録規格情報と、が記憶されている記憶手段と、
前記記録ディスクに記録されている共有ディスクタイプ及びリードインスタートタイムを夫々読み取る手段と、
前記記録ディスクから読み取られた共有ディスクタイプ及びリードインスタートタイムに基づいて、前記第１記録規格情報及び前記第２記録規格情報から前記波形パラメータの１つを選択し、この波形パラメータに基づいて前記記録信号の生成を行う記録信号生成手段と、を有することを特徴とする情報記録再生装置。
【請求項２】
情報データを担う記録信号に応じた記録ビーム光を記録ディスクに照射することにより前記記録ディスクに対して情報記録を行なう情報記録再生装置であって、
記録ディスクの各種のディスクタイプを示す共有ディスクタイプと前記記録信号を生成する際の第１記録規格の波形パラメータとが対応付けされている第１記録規格情報と、記録ディスクの各製造者を示す製造者コード及びピット形成の反応性を示すタイプコードと前記記録信号を生成する際の第２記録規格の波形パラメータとが対応付けされている第２記録規格情報と、前記製造者コードの各々とリードインスタートタイム及びタイプコードとが夫々対応付けされている製造者コード情報と、が夫々記憶されている記憶手段と、
前記記録ディスクに記録されている共有ディスクタイプ及びリードインスタートタイムを夫々読み取る手段と、
前記記録ディスクから読み取られた前記リードインスタートタイムに対応した前記製造者コードを前記製造者コード情報から検索し、この検索された前記製造者コードと前記記録ディスクから読み取られた前記共有ディスクタイプとに基づいて、前記第１記録規格情報及び前記第２記録規格情報各々の内から前記波形パラメータの１つを選択しこの波形パラメータに基づいて前記記録信号の生成を行う記録信号生成手段と、を有することを特徴とする情報記録再生装置。
【請求項３】
前記記録信号生成手段は、前記記録ディスクから読み取られた前記リードインスタートタイムに対応した前記タイプコード及び前記製造者コード各々が前記製造者コード情報に含まれており且つ前記記録ディスクから前記共有ディスクタイプを読み取れない場合には、前記第２記録規格の前記波形パラメータに基づいて前記記録信号の生成を行うことを特徴とする請求項２記載の情報記録再生装置。
【請求項４】
前記記憶手段には更に、ピット形成の反応性を示すタイプコードと前記記録信号を生成する際の第３記録規格の波形パラメータとが対応付けされている第３記録規格情報が記憶されており、前記記録信号生成手段は、前記記録ディスクから読み取られた前記リードインタイムに対応した前記タイプコード及び前記製造者コードが前記製造者コード情報に含まれておらず、且つ前記記録ディスクから前記共有ディスクタイプを読み取れない場合には、前記第３記録規格の前記波形パラメータに基づいて前記記録信号の生成を行うことを特徴とする請求項３記載の情報記録再生装置。
【請求項５】
前記記録信号生成手段は、前記記録ディスクから読み出した前記リードインスタートタイムに対応した前記タイプコード及び前記製造者コードが前記製造者コード情報に含まれておらず、且つ前記記録ディスクから前記共有ディスクタイプを読み取れない場合には、前記第１記録規格の前記波形パラメータに基づいて前記記録信号の生成を行うことを特徴とする請求項２記載の情報記録再生装置。
【請求項６】
前記記憶手段には更に、記録ディスクの各種のディスクタイプ、タイプコード及び製造者コードの各々が対応付けされている専用ディスクタイプ情報が記憶されており、
前記記録信号生成手段は、前記記録ディスクから読み取られた前記リードインスタートタイムに対応した前記ディスクタイプを前記専用ディスクタイプ情報中から検索し、この検索された前記ディスクタイプと前記記録ディスクから読み出された前記共有ディスクタイプとが互いに同一である場合には前記第２記録規格の前記波形パラメータに基づいて前記記録信号の生成を行う一方、前記検索された前記ディスクタイプと前記記録ディスクから読み出された前記共有ディスクタイプとが互いに異なる場合には前記第１記録規格の前記波形パラメータに基づいて前記記録信号の生成を行うことを特徴とする請求項２記載の情報記録再生装置。
【請求項７】
前記記録信号生成手段は、前記記録ディスクから読み取られた前記リードインスタートタイムに対応した前記タイプコード及び前記製造者コードが前記製造者コード情報に含まれていると共に、前記共有ディスクタイプが前記記録ディスクから読み取られ且つ前記リードインスタートタイムに対応した前記ディスクタイプが前記専用ディスクタイプ情報に含まれていない場合には、前記第２記録規格の前記波形パラメータに基づいて前記記録信号の生成を行うことを特徴とする請求項６記載の情報記録再生装置。
【請求項８】
情報データを担う記録信号に応じた記録ビーム光を記録ディスクに照射することにより前記記録ディスクに対して情報記録を行なう情報記録方法であって、
記録ディスクの各種のディスクタイプを示す共有ディスクタイプと前記記録信号を生成する際の第１記録規格の波形パラメータとが対応付けされている第１記録規格情報と、記録ディスクの各製造者を示す製造者コード及びピット形成の反応性を示すタイプコードと前記記録信号を生成する際の第２記録規格の波形パラメータとが対応付けされている第２記録規格情報と、前記製造者コードの各々とリードインスタートタイム及びタイプコードとが夫々対応付けされている製造者コード情報と、が夫々記憶されている記憶手段から、前記第１記録規格情報、前記第２記録規格情報及び前記製造者コード情報を読み出す行程と、
前記記録ディスクに記録されている共有ディスクタイプ及びリードインスタートタイムを夫々読み取る行程と、
前記記録ディスクから読み取られた前記リードインスタートタイムに対応した前記製造者コードを前記製造者コード情報から検索し、この検索された前記製造者コードと前記記録ディスクから読み取られた前記共有ディスクタイプとに基づいて、前記第１記録規格情報及び前記第２記録規格情報各々の内から前記波形パラメータの１つを選択しこの波形パラメータに基づいて前記記録信号の生成を行う行程と、を有することを特徴とする情報記録方法。
【発明の詳細な説明】
【０００１】
【発明の属する技術分野】
本発明は、記録媒体に情報データの記録を行う情報記録再生装置に関する。
【０００２】
【背景技術】
現在、情報データの書き込みが可能な光学式記録媒体として、追記型のＣＤ(Compact Disc)−Ｒ、ＤＶＤ(Digital Versatile Disc)−Ｒ、並びに、書き換え可能なＤＶＤ−ＲＷ等の記録ディスクが着目されている。
情報記録装置は、上記記録ディスクに対して情報データの書き込みを行うにあたり、例えば以下の如き処理を実施する。
【０００３】
先ず、情報データに応じたレベル変化を有する記録信号を生成し、これを書込用レーザダイオードに供給する。書込用レーザダイオードは、上記記録信号のレベルに応じた光パワーを有するレーザビーム光を発生し、これを記録ディスクの記録面上に照射する。この際、レーザビーム光の照射された領域は、照射されていない領域に比してその反射率が低下し、この反射率の低下した領域が情報データを担う記録ピットとなる。
【０００４】
ところが、記録ディスクの構造及び材質等の違いによって、上記レーザビーム光の照射によって形成される記録ピットの形状にはばらつきが生じる。
そこで、追記型の記録ディスクであるＣＤ−Ｒの規格、いわゆるオレンジブックでは、ＣＤ−Ｒを、図１に示されるが如きメディアタイプ(タイプＡ〜Ｃ)と、βカテゴリ(high、low)との組み合わせに基づく６種類のディスクタイプ(以下、共有ディスクタイプと称する)に分類し、各製造者共有で採用するように規定している。
【０００５】
例えば、ＣＤ−Ｒの製造元では、先ず、上記６種類のＣＤ−Ｒのいずれに対しても情報記録を行うことが出来る標準記録装置を用いて自社の製造したＣＤ−Ｒに情報データの記録を行い、その記録結果により、このＣＤ−Ｒが上記６種類の共有ディスクタイプのいずれに該当するのかを判断する。ＣＤ−Ｒの製造元は、かかる判断結果によって得られた共有ディスクタイプ(メディアタイプ＋βカテゴリ)をこのＣＤ−Ｒに記録して出荷する。
【０００６】
一方、この出荷されたＣＤ−Ｒに対して情報データの記録を行う記録装置側では、上記６種類の共有ディスクタイプ各々に対して、図１に示されるが如き最適な記録信号を生成するためのストラテジである第１記録規格による波形パラメータ(ΔＰD、ΔＰH、θＴ)を設定しておく。かかる第１記録規格によれば、情報データ信号を担う例えば図２(ａ)に示されるが如き３Ｔ−ＥＦＭ(Eight to Fourteen Modulation)変調信号は、図２(ｂ)に示されるが如き波形を有する記録信号に変換される。図２(ｂ)に示されるように、かかる記録信号波形は、先ず、ＥＦＭ変調信号の立ち上がりから時間θＴの遅れを持って立ち上がる。そして、ΔＰDの期間に亘り、記録パワーＰWよりΔＰHだけ高い記録パワーを維持し、その後、ＥＦＭ変調信号の立ち下がりまで記録パワーＰWのレベルに保たれている。つまり、記録装置側では、装着されたＣＤ−Ｒから上記共有ディスクタイプを読み取り、その共有ディスクタイプに対応した記録規格に従った波形を有する記録信号を生成して上記書込用レーザダイオードを駆動することにより、良好な形状を有する記録ピットの形成を実現するのである。
【０００７】
すなわち、オレンジブックでは、上記６種類の共有ディスクタイプのいずれかに該当するＣＤ−Ｒを製造するように、製造元を促しているのである。
【０００８】
【発明が解決しようとする課題】
しかしながら、ＣＤ−Ｒの製造会社によっては、製造したＣＤ−Ｒを上記６種類の共有ディスクタイプに該当させてはいるものの、必ずしもこの共有ディスクタイプが最善とはならないＣＤ−Ｒを製造している場合がある。
【０００９】
【課題を解決するための手段】
本発明は、かかる問題を解決せんとして為されたものであり、より良好な形状を有する記録ピットを形成し得る情報記録再生装置及び情報記録方法を提供することを目的とする。
請求項１記載による情報記録再生装置は、情報データを担う記録信号に応じた記録ビーム光を記録ディスクに照射することにより前記記録ディスクに対して情報記録を行なう情報記録再生装置であって、記録ディスクの各種のディスクタイプを示す共有ディスクタイプと前記記録信号を生成する際の第１記録規格の波形パラメータとが対応付けされている第１記録規格情報と、記録ディスクの各製造者を示す製造者コード及びピット形成の反応性を示すタイプコードと前記記録信号を生成する際の第２記録規格の波形パラメータとが対応付けされている第２記録規格情報と、が記憶されている記憶手段と、前記記録ディスクに記録されている共有ディスクタイプ及びリードインスタートタイムを夫々読み取る手段と、前記記録ディスクから読み取られた共有ディスクタイプ及びリードインスタートタイムに基づいて、前記第１記録規格情報及び前記第２記録規格情報から前記波形パラメータの１つを選択し、この波形パラメータに基づいて前記記録信号の生成を行う記録信号生成手段と、を有する。
又、請求項２記載による情報記録再生装置は、情報データを担う記録信号に応じた記録ビーム光を記録ディスクに照射することにより前記記録ディスクに対して情報記録を行なう情報記録再生装置であって、記録ディスクの各種のディスクタイプを示す共有ディスクタイプと前記記録信号を生成する際の第１記録規格の波形パラメータとが対応付けされている第１記録規格情報と、記録ディスクの各製造者を示す製造者コード及びピット形成の反応性を示すタイプコードと前記記録信号を生成する際の第２記録規格の波形パラメータとが対応付けされている第２記録規格情報と、前記製造者コードの各々とリードインスタートタイム及びタイプコードとが夫々対応付けされている製造者コード情報と、が夫々記憶されている記憶手段と、前記記録ディスクに記録されている共有ディスクタイプ及びリードインスタートタイムを夫々読み取る手段と、前記記録ディスクから読み取られた前記リードインスタートタイムに対応した前記製造者コードを前記製造者コード情報から検索し、この検索された前記製造者コードと前記記録ディスクから読み取られた前記共有ディスクタイプとに基づいて、前記第１記録規格情報及び前記第２記録規格情報各々の内から前記波形パラメータの１つを選択しこの波形パラメータに基づいて前記記録信号の生成を行う記録信号生成手段と、を有する。
【００１０】
又、請求項８記載による情報記録方法は、情報データを担う記録信号に応じた記録ビーム光を記録ディスクに照射することにより前記記録ディスクに対して情報記録を行なう情報記録方法であって、
記録ディスクの各種のディスクタイプを示す共有ディスクタイプと前記記録信号を生成する際の第１記録規格の波形パラメータとが対応付けされている第１記録規格情報と、記録ディスクの各製造者を示す製造者コード及びピット形成の反応性を示すタイプコードと前記記録信号を生成する際の第２記録規格の波形パラメータとが対応付けされている第２記録規格情報と、前記製造者コードの各々とリードインスタートタイム及びタイプコードとが夫々対応付けされている製造者コード情報と、が夫々記憶されている記憶手段から、前記第１記録規格情報、前記第２記録規格情報及び前記製造者コード情報を読み出す行程と、前記記録ディスクに記録されている共有ディスクタイプ及びリードインスタートタイムを夫々読み取る行程と、前記記録ディスクから読み取られた前記リードインスタートタイムに対応した前記製造者コードを前記製造者コード情報から検索し、この検索された前記製造者コードと前記記録ディスクから読み取られた前記共有ディスクタイプとに基づいて、前記第１記録規格情報及び前記第２記録規格情報各々の内から前記波形パラメータの１つを選択しこの波形パラメータに基づいて前記記録信号の生成を行う行程と、を有する。
【００１１】
【発明の実施の形態】
図３は、本発明による情報記録再生装置の構成を示す図である。
図３において、記録変調回路１１は、映像信号、音声信号又はコンピュータデータ信号の如き情報データ信号に所定の記録用変調処理を施し、この際得られた変調信号Ｍを記録信号波形生成回路１２に供給する。記録信号波形生成回路１２は、この変調信号Ｍをシステム制御回路３０から供給された記録規格信号ＷＳに従った波形に変換し、これを記録パワー調整回路１３に供給する。記録パワー調整回路１３は、生成回路１２の出力信号ＭPの振幅を、システム制御回路３０から供給された記録パワー指定信号ＰWに応じた値にレベルシフトし、これを記録信号ＲＭとして記録再生ヘッド１４に供給する。スライダ機構１５は、かかる記録再生ヘッド１４を、スピンドルモータ１６によって回転駆動される記録ディスク１７のディスク半径方向に移動せしめる。サーボ回路１８は、上記システム制御回路３０から供給された各種サーボ制御信号に応じた分だけ上記スライダ機構１５及びスピンドルモータ１６各々を駆動すべき駆動電圧を発生して、これらスライダ機構１５及びスピンドルモータ１６各々に供給する。
【００１２】
記録ディスク１７は、例えばＣＤ−Ｒの如き追記型の光学式記録媒体であり、情報データが記録されるプログラム領域と、この記録ディスク１７に対する記録・再生動作を為す際に用いる各種の管理情報が記録されている管理領域とに区分されている。尚、かかる管理領域には、ディスク製造者毎に規定されている情報読取開始位置を示すリードインスタートタイムの他に、この記録ディスク１７のメディアタイプ及びβカテゴリ情報も上記管理情報として予め記録されている。
【００１３】
記録再生ヘッド１４に搭載されているレーザダイオード(図示せぬ)は、システム制御回路３０から供給された情報記録開始指令信号に応答して、上記記録信号ＲＭのレベル変化に応じた光パワーを有する記録ビーム光を発生し、これを記録ディスク１７の記録面上に照射する。上記記録ビーム光の照射により、記録ディスク１７の記録面上には、上記変調信号Ｍに対応したピット長を有する記録ピットが形成されて行く。又、上記レーザダイオードは、システム制御回路３０から情報読取開始指令信号が供給された場合には、記録ディスク１７の記録面上に読取ビーム光を照射する。この際、記録再生ヘッド１４に搭載されている情報読取光学系(図示せぬ)は、かかる記録ディスク１７からの反射光を受光してこれを光検出器(図示せぬ)に導出する。光検出器は、この反射光を光電変換することにより記録ディスク２０に記録されている記録情報に対応した読取信号を得て、これを復調回路１９に供給する。
【００１４】
復調回路１９は、上記記録再生ヘッド１４から供給された読取信号を２値化した後、所定の復調処理を施すことにより情報データ信号を復元し、これを再生情報データ信号ＲＤとして出力する。
システム制御回路３０には、使用者による各種指令操作を受け付ける操作装置３１、ＲＡＭ(Random Access Memory)３３、及びＲＯＭ(Read Only Memory)３４が接続されている。
【００１５】
図４は、かかるＲＯＭ３４の概略メモリマップを示す図である。
図４に示されるように、ＲＯＭ３４には、図５に示されるが如き製造者コード情報、図６に示されるが如き製造者別の専用ディスクタイプ情報、図１に示されるが如き第１記録規格情報、図７に示されるが如き第２記録規格情報、及び図８に示されるが如き第３記録規格情報各々が予め登録されている。
【００１６】
図５に示されるように、製造者コード情報中には、記録ディスク上における読み取り開始位置を示すリードインスタートタイムと、各製造者を示す製造者コード及びタイプコードとが対応づけして記述してある。尚、タイプコードとは、記録ディスクを、その記録特性に応じた２種類のディスクタイプに分けたディスクタイプ情報を示すものである。これら２種類のディスクタイプとしては、記録ビームに対するピット形成反応が悪い為に長い記録信号波形が必要となるロングタイプと、記録ビームに対するピット形成反応が良い為に短い記録信号波形が必要となるショートタイプとがある。
【００１７】
又、図６に示されるように、上記専用ディスクタイプ情報中には、上記製造者コード及びタイプコードによる組み合わせと、各種のディスクタイプ(メディアタイプ＋βカテゴリ)とが対応づけして記述してある。すなわち、第２記録規格情報を定めた時点において記録ディスクの製造者が記録ディスクに記録する共有ディスクタイプ情報が、専用ディスクタイプ情報として登録されているのである。
【００１８】
又、図１に示されるように、上記第１記録規格情報には、オレンジブックによって定義されている６種類の共有ディスクタイプ各々と、その第１記録規格による波形パラメータ(ΔＰD、ΔＰH、θＴ)とが対応付けして記述されている。
又、図７に示されるように、上記第２記録規格情報には、上記製造者コード及びタイプコードによる組み合わせと、その組み合わせ各々に最適な第２記録規格による波形パラメータ(ΔＰD、ΔＰH、θＴ)とが対応付けして記述されている。すなわち、各製造者毎の記録ディスク各々に対して最適な記録信号を生成することができる記録規格による波形パラメータ(ΔＰD、ΔＰH、θＴ）が登録されているのである。
【００１９】
又、図８に示されるように、上記記第３記録規格情報には、上記タイプコード毎に、最適な第３記録規格による波形パラメータ(ΔＰD、ΔＰH、θＴ)が対応付けして記述されている。すなわち、記録ディスクがロングタイプである場合、並びに、ショートタイプである場合の夫々にて採用し得る記録規格による波形パラメータ(ΔＰD、ΔＰH、θＴ)が登録されているのである。
【００２０】
更に、図４に示されるが如くＲＯＭ３４のプログラム領域には、情報信号記録再生装置自体の動作を司る為のソフトウェアが予め格納されている。
以下に、かかるソフトウェアに従ってシステム制御回路３０が実施する情報信号記録再生装置の制御動作について説明する。
先ず、使用者が記録ディスク１７に情報データを記録すべく操作装置３１を操作すると、操作装置３１は記録指令信号をシステム制御回路３０に送出する。かかる記録指令信号に応じて、システム制御回路３０は、上記ソフトウェアに基づくメイン制御フロー（説明せず）の実行を一時中断し、図９に示されるが如き記録初期設定サブルーチンの実行に移行する。
【００２１】
図９において、先ず、システム制御回路３０は、記録ディスク１７の管理領域から記録情報の読み取りを行わせるべく、記録再生ヘッド１４を移送させるスライダサーボ制御信号をサーボ回路１８に供給すると共に、情報読取開始指令信号を記録再生ヘッド１４に供給する(ステップＳ１)。これに応じて、記録再生ヘッド１４は、記録ディスク１７上における上記管理領域に移送され、ここから記録情報の読み取りを開始する。この際、復調回路１９は、上記管理領域の読み取りに対応した再生情報データ信号ＲＤをシステム制御回路３０に送出する。
【００２２】
次に、システム制御回路３０は、かかる再生情報データ信号ＲＤ中からリードインスタートタイムを抽出し、これを内蔵レジスタＴ(図示せぬ)に記憶させる。更に、この再生情報データ信号ＲＤ中からメディアタイプ及びβカテゴリ情報の検索を行い、検索出来た場合には論理レベル"１"、出来なかった場合には論理レベル"０"のフラグを第１フラグレジスタＦＲ1(図示せぬ)に書き込む。この際、上記メディアタイプ及びβカテゴリ情報を検索出来た場合には、システム制御回路３０は、これらメディアタイプ及びβカテゴリ情報を内蔵レジスタＹ(図示せぬ)に記憶させる(ステップＳ２)。
【００２３】
次に、システム制御回路３０は、図５に示されるが如くＲＯＭ３４に登録されている製造者コード情報中から、上記内蔵レジスタＴに記憶されているリードインスタートタイムに対応した製造者コード及びタイプコード各々を検索する。この際、このリードインスタートタイムに対応した製造者コード及びタイプコードを検索出来た場合には論理レベル"１"、出来なかった場合には論理レベル"０"のフラグを第２フラグレジスタＦＲ2(図示せぬ)に書き込む。尚、製造者コード及びタイプコードを検索出来た場合には、システム制御回路３０は、これら製造者コード及びタイプコード各々を内蔵レジスタＺ(図示せぬ)に記憶させる(ステップＳ３)。
【００２４】
次に、システム制御回路３０は、上記第２フラグレジスタＦＲ2の内容が論理レベル"１"であるか否か、すなわち、ＲＯＭ３４に登録されている製造者コード情報中に、記録ディスク１７のリードインスタートタイムに対応した製造者コード及びタイプコードが存在するのか否かの判定を行う(ステップＳ４)。かかるステップＳ４において、上記第２フラグレジスタＦＲ2の内容が論理レベル"１"、すなわち、ＲＯＭ３４に登録されている製造者コード情報中に、記録ディスク１７のリードインスタートタイムに対応した製造者及びタイプコードが存在する場合、システム制御回路３０は、次のステップＳ５を実施する。ステップＳ５では、システム制御回路３０は、上記第１フラグレジスタＦＲ1の内容が論理レベル"１"であるか否か、すなわち、図１に示されるが如きメディアタイプ及びβカテゴリ情報が記録ディスク１７に記録されているか否かの判定を行う(ステップＳ５)。ステップＳ５において、上記第１フラグレジスタＦＲ1の内容が論理レベル"１"、すなわち、メディアタイプ及びβカテゴリ情報が記録ディスク１７に記録されていると判定された場合、システム制御回路３０は、次のステップＳ６を実施する。かかるステップＳ６では、システム制御回路３０は、図６に示されるが如くＲＯＭ３４に登録されている製造者別の専用ディスクタイプ情報中から、上記内蔵レジスタＺに記憶されている製造者コード及びタイプコードに対応した専用ディスクタイプ(メディアタイプ＋βカテゴリ)の検索を行う。この際、上記製造者コード及びタイプコードに対応した専用ディスクタイプを検索出来た場合には論理レベル"１"、出来なかった場合には論理レベル"０"のフラグを第３フラグレジスタＦＲ3(図示せぬ)に書き込む。更に、上記専用ディスクタイプ(メディアタイプ＋βカテゴリ)を検索出来た場合、システム制御回路３０は、そのメディアタイプ及びβカテゴリ情報を内蔵レジスタＸ(図示せぬ)に記憶させる(ステップＳ６)。
【００２５】
次に、システム制御回路３０は、上記第３フラグレジスタＦＲ3の内容が論理レベル"１"であるか否かの判定を行う(ステップＳ７)。すなわち、ステップＳ７では、図６に示されるが如くＲＯＭ３４に登録されている製造者別の専用ディスクタイプ情報中に、記録ディスク１７の製造者コード及びタイプコードに対応した専用ディスクタイプ(メディアタイプ＋βカテゴリ)が存在するか否かの判定を行うのである。かかるステップＳ７において、上記第３フラグレジスタＦＲ3の内容が論理レベル"１"、すなわち、記録ディスク１７の製造者コード及びタイプコードに対応した専用ディスクタイプ(メディアタイプ＋βカテゴリ)が存在すると判定された場合、システム制御回路３０は、次のステップＳ８を実施する。ステップＳ８において、システム制御回路３０は、上記内蔵レジスタＸ及びＹ各々に記憶されている内容が互いに一致しているか否か、すなわち記録ディスク１７に記録されていた共有ディスクタイプ(メディアタイプ＋βカテゴリ)と、このＲＯＭ３４から読み出された専用ディスクタイプ(メディアタイプ＋βカテゴリ)とが一致しているか否かの判定を行う(ステップＳ８)。かかるステップＳ８において、両者が一致していないと判定された場合、システム制御回路３０は、図１に示されるが如くＲＯＭ３４に登録されている第１記録規格情報中から、上記内蔵レジスタＹに記憶されている共有ディスクタイプ(メディアタイプ＋βカテゴリ)に対応した第１記録規格による波形パラメータ(ΔＰD、ΔＰH、θＴ)を読み出し、これを上述した如き記録規格信号ＷＳとして上記記録信号波形生成回路１２に供給する(ステップＳ９)。かかるステップＳ９の実行に応じて、記録信号波形生成回路１２は、記録ディスク１７に記録されていた共有ディスクタイプ(メディアタイプ＋βカテゴリ)に対応した第１記録規格による波形パラメータ(ΔＰD、ΔＰH、θＴ)に基づいた波形の記録信号を生成するように設定される。
【００２６】
すなわち、記録ディスク１７に記録されていた共有ディスクタイプと、ＲＯＭ３４から読み出された専用ディスクタイプとが異なる場合には、この記録ディスクが、上記第２記録規格を定めた時点では規格化されていなかった記録特性を有する記録ディスクであると判断する。そして、ＲＯＭ３４に登録されている第１記録規格情報中から、記録ディスク１７に記録されていた共有ディスクタイプに対応した第１記録規格による波形パラメータ(ΔＰD、ΔＰH、θＴ)を読み出し、これにて記録信号波形生成回路１２の設定を行うのである。
【００２７】
一方、上記ステップＳ５、Ｓ７において上記第１フラグレジスタＦＲ1又は第３フラグレジスタＦＲ3の内容が論理レベル"１"ではないと判定された場合、又は、上記ステップＳ８において上記内蔵レジスタＸ及びＹに記憶されている内容が互いに一致していると判定された場合、システム制御回路３０は、以下のステップＳ１０を実行する。ステップＳ１０では、システム制御回路３０は、図７に示されるが如くＲＯＭ３４に登録されている第２記録規格情報中から、上記内蔵レジスタＺに記憶されている製造者コード及びタイプコードに対応した第２記録規格による波形パラメータ(ΔＰD、ΔＰH、θＴ)を読み出し、これを前述した如き記録規格信号ＷＳとして上記記録信号波形生成回路１２に供給する(ステップＳ１０)。
【００２８】
すなわち、以下の３つの条件ａ〜ｃのいずれかに該当する場合には、記録ディスクが、第２記録規格を定めた時点において規格化されていた記録特性を採用した記録ディスクであると判断する。そして、ＲＯＭ３４に登録記憶されている第２記録規格情報中から、記録ディスク１７の製造者を示す製造者コード及びタイプコードに対応した第２記録規格による波形パラメータ(ΔＰD、ΔＰH、θＴ)を読み出し、これにて上記記録信号波形生成回路１２の設定を行うのである。
【００２９】
ａ．記録ディスク１７にメディアタイプ情報及びβカテゴリ情報が記録さ  れていない場合。
ｂ．専用ディスクタイプがＲＯＭ３４に登録されていない場合。
ｃ．記録ディスク１７に記録されていた共有ディスクタイプと、ＲＯＭ３４から読み出された専用ディスクタイプとが一致している場合。
【００３０】
又、上記ステップＳ４において、上記第２フラグレジスタＦＲ2の内容が論理レベル"１"ではない、すなわちＲＯＭ３４に登録されている製造者コード情報中に、記録ディスク１７のリードインスタートタイムに対応した製造者及びタイプコードが存在しない場合、システム制御回路３０は、次のステップＳ１１を実施する。ステップＳ１１では、システム制御回路３０は、上記第１フラグレジスタＦＲ1の内容が論理レベル"１"であるか否か、すなわち、図１に示されるが如きメディアタイプ及びβカテゴリ情報が記録ディスク１７に記録されているか否かの判定を行う(ステップＳ１１)。かかるステップＳ１１において、上記第１フラグレジスタＦＲ1の内容が論理レベル"１"、つまり、メディアタイプ及びβカテゴリ情報が記録ディスク１７に記録されていると判定された場合、システム制御回路３０は、次に、上記ステップＳ９を実行する。一方、かかるステップＳ１１において、上記第１フラグレジスタＦＲ1の内容が論理レベル"１"ではない、つまり、メディアタイプ及びβカテゴリ情報が記録ディスク１７に記録されていないと判定された場合、システム制御回路３０は、次のステップ１２を実行する。ステップＳ１２において、システム制御回路３０は、図８に示されるが如くＲＯＭ３４に登録されている第３記録規格情報中から、上記内蔵レジスタＺに記憶されているタイプコードに対応した第３記録規格による波形パラメータ(ΔＰD、ΔＰH、θＴ)を読み出し、これを前述した如き記録規格信号ＷＳとして上記記録信号波形生成回路１２に供給する(ステップＳ１２)。
【００３１】
すなわち、記録ディスク１７の製造者を示す製造者コード及びタイプコードがＲＯＭ３４に登録されていない場合には、ＲＯＭ３４に登録されている第１記録規格情報中から、記録ディスク１７に記録されていた共有ディスクタイプ(メディアタイプ＋βカテゴリ)に対応した第１記録規格による波形パラメータ(ΔＰD、ΔＰH、θＴ)を読み出し、これにて記録信号波形生成回路１２の設定を行う。この際、記録ディスク１７にメディアタイプ及びβカテゴリが記録されていなかった場合には、記録ディスク１７のリードインスタートタイムに対応したタイプコードを用いて、ＲＯＭ３４に登録されている第３記録規格情報中から第３記録規格による波形パラメータ(ΔＰD、ΔＰH、θＴ)を読み出し、これにて記録信号波形生成回路１２の設定を行うのである。
【００３２】
上記ステップＳ９、Ｓ１０、Ｓ１２のいずれかが終了したら、システム制御回路３０は、この記録動作初期設定サブルーチンを抜けてメイン制御フローの実行に戻る。
以上の如く、かかる情報記録再生装置においては、記録ディスク１７に記録されている共有ディスクタイプ(メディアタイプ＋βカテゴリ)と、ＲＯＭ３４から読み出された専用ディスクタイプとが異なる場合には、記録ディスク１７に記録されている共有ディスクタイプに対応した第１記録規格による波形パラメータ(ΔＰD、ΔＰH、θＴ)に基づいて記録信号の波形を生成する(ステップＳ９)。
【００３３】
一方、上記共有ディスクタイプと、専用ディスクタイプとが同一である場合には、記録ディスク１７の製造者コードとタイプコードとの組み合わせ毎に登録してある第２記録規格による波形パラメータ(ΔＰD、ΔＰH、θＴ)に基づいて記録信号の波形を生成する(ステップＳ１０)。
更に、記録ディスク１７にメディアタイプ及びβカテゴリ情報が記録されておらず、かつ記録ディスク１７の製造者コード及びタイプコードがＲＯＭ３４に登録されていない場合には、記録ディスク１７のタイプコードに対応した第３記録規格による波形パラメータ(ΔＰD、ΔＰH、θＴ)に基づいて記録信号の波形を生成する(ステップＳ１２)ようにしている。
【００３４】
上述したように、共有ディスクタイプ情報に対応してＲＯＭから読み出される第１記録規格情報は６種類しかないが、リードインスタートタイムを使用したディスク製造者の特定はさらに細かくされており、それに対応して読み出される第２記録規格情報は１００種類以上にわたり存在する。しかしながら、リードインスタートタイムは単にディスク製造者を特定しているだけなので、後にディスク製造者が記録ディスクの記録特性を変えると、第２記録規格情報が適切でなくなる問題がある。
【００３５】
これに対し、上述した実施例によれば、ディスクに記録された共有ディスクタイプ情報とＲＯＭから読み出された専用ディスクタイプ情報を比較することにより、ディスク製造者が記録ディスクの記録特性を変えたか否かを判断する。この際、もし、両ディスクタイプ情報が一致しない場合にはディスク製造者が記録ディスクの記録特性を変えた可能性があると判断して、第１記録規格情報を選択し、必要最小限の品質の情報記録を確保する。一方、両ディスクタイプ情報が一致する場合には第２記録規格情報を定めた時点の同一の記録特性を持つディスクであると判断し、より細かくディスク種類毎に設定されている第２記録規格情報を選択し、高精度の情報記録を行う。
【００３６】
尚、本発明は上述した実施例に限定されるものではない。
例えば、上述した実施例によれば、ＲＯＭ３４にリードインスタートタイムに対応した製造者コードとタイプコード（図５）、この製造者コードとタイプコードに対応した専用ディスクタイプ（図６）、及び製造者コードとタイプコードに対応した第２記録規格による波形パラメータ(図７）を記憶するようにしている。しかしながら、ＲＯＭ３４にリードインスタートタイムに対応した共有ディスクタイプと、第２記録規格情報とを記憶し、製造者コードおよびタイプコードを介在させなくても良い。
【００３７】
又、上記実施例においては、記録ディスクに記録されているリードインスタートタイムに基づいて、上記ＲＯＭ３４から第２記録規格情報を読み出すようにしたが、かかる構成に限定されるものではない。要するに、ディスク製造者、あるいは専用ディスクタイプを示す所定情報を記録ディスクから読み出し、この所定情報に対応した第２記録規格情報を上記ＲＯＭ３４から読み出すような構成であれば良いのである。
【００３８】
又、各記録規格情報や製造者コードを記憶する記憶手段として一つのＲＯＭを用いたが、複数のＲＯＭを用いたり、ハードディスク等の他の記憶手段を用いることができるのは勿論である。
又、記録ディスクに記録された共有ディスクタイプ情報Ｘと、ＲＯＭから読み出された専用ディスクタイプ情報Ｙとの一致を見て、記録ディスクが第２記録規格を定めた時点と同一の記録特性を持つ記録ディスクであるか否かを判断するようにしたが、その手法に限定されるものでもない。例えば、記録ディスクに記録された他の情報、例えばディスク製造日やバージョン情報を記録し、それら情報に基づき判断することもできる。また、第２記録規格情報に従った記録信号により記録し、その再生信号の性能を見て、例えばジッター値が所定値よりも大きければ、異なる記録特性を持つ記録特性であると判断することもできる。
【００３９】
【発明の効果】
以上、詳述した如く、本発明による情報記録再生装置においては、先ず、装着された記録ディスクが第２の記録規格を定めた時点において規格化されている記録特性を有する記録ディスクであるか否かを判断する。この際、第２の記録規格を定めた時点において規格化されていない記録特性を有するものであると判断した場合には第１記録規格に基づいて記録信号の波形を生成する。従って、万が一に記録ディスクの記録特性が大きく変化している場合にもその影響を受けることなく、必要最小限の品質で情報記録が可能となる。一方、上記第２の記録規格を定めた時点において規格化されている記録特性を有する記録ディスクであると判断した場合には、上記第１記録規格よりも極め細かくディスク種類毎に設定された上記第２の記録規格に基づいて記録信号の波形を生成する。従って、非常に高精度の情報記録が可能となる。
【００４０】
よって、本発明による情報記録再生装置によれば、より精度の高い情報記録が可能となるのである。
【図面の簡単な説明】
【図１】記録ディスクのメディアタイプ及びβカテゴリと、第１記録規格による波形パラメータ(ΔＰD、ΔＰH、θＴ)とが対応づけされている第１記録規格情報の一例を示す図である。
【図２】記録規格による波形パラメータ(ΔＰD、ΔＰH、θＴ)に基づく記録信号の波形を示す図である。
【図３】本発明による情報記録再生装置の構成を示す図である。
【図４】ＲＯＭ３４の概略メモリマップを示す図である。
【図５】ＲＯＭ３４に記憶されている製造者コード情報の一例を示す図である。
【図６】ＲＯＭ３４に記憶されている専用ディスクタイプ情報の一例を示す図である。
【図７】ＲＯＭ３４に記憶されている第２記録規格情報の一例を示す図である。
【図８】ＲＯＭ３４に記憶されている第３記録規格情報の一例を示す図である。
【図９】本発明の情報記録方法に基づく記録初期設定サブルーチンを示す図である。
【主要部分の符号の説明】
１２  記録信号波形生成回路
１４  記録再生ヘッド
１７  記録ディスク
３０  システム制御回路
３４  ＲＯＭ
【図１】
0004097867.tif 000002
【図２】
0004097867.tif 000003
【図３】
0004097867.tif 000004
【図４】
0004097867.tif 000005
【図５】
0004097867.tif 000006
【図６】
0004097867.tif 000007
【図７】
0004097867.tif 000008
【図８】
0004097867.tif 000009
【図９】
0004097867.tif 000010